(57)【要約】【課題】廃棄物公害を生ずることがなく、しかも複数個を連結した状態で一度に製作できるようにした段ボール製の緩衝用クッションを提供する。【解決手段】段ボール１０に半切り線３１と連結部３５を有する切断線３２とを交互に形成し、これによって複数の板状部１１〜２０を画成するとともに、所要の部位につなぎ部４１を有する破断線４０を形成しておき、この段ボール１０を半切り線３１と切断線３２のところで互いに逆方向に交互に折畳んで接合するようにしたものであって、使用時に上記破断線４０のところで破断して分割する。【選択図】　図１
2004059118.tif 000002
【特許請求の範囲】
【請求項１】
段ボールを折曲げて成り、梱包する物品を緩衝する緩衝用クッションにおいて、
段ボールの段目の方向と交差する方向に延びる切断線と一方のライナのみが連結されている半切り線とを互いにほぼ平行であって前記段目の方向に交互に形成し、
前記切断線を連結部によって部分的に連結し、
しかも前記段目の方向に破断可能なつなぎ部によって部分的に連結された破断線を形成し、
前記切断線と半切り線のところで交互に逆方向に折畳んで重合わせて接合するとともに、前記破断線のところで破断して複数個に分割するようにしたことを特徴とする緩衝用クッション。
【請求項２】
前記切断線と半切り線とによって囲まれる板状部または前記半切り線もしくは切断線をまたぐように隣接する板状部に開口を形成し、折畳んで接合したときに前記開口によって凹部または切込みが形成されることを特徴とする請求項１に記載の緩衝用クッション。
【請求項３】
前記切断線と半切り線とによって囲まれる板状部にほぼ矩形の開口を形成し、しかも前記段目の方向の両端の板状部には前記矩形の開口の対角線とほぼ対応する斜めの切断線を形成し、前記矩形の開口と前記斜めの切断線とを破断線によって連結し、折畳んで接合した後に前記破断線によって分割したときにコーナパッドになることを特徴とする請求項１に記載の緩衝用クッション。
【請求項４】
前記切断線と半切り線とによって囲まれる板状部または前記半切り線もしくは前記切断線をまたぐように隣接する板状部に開口を形成し、しかも前記開口を段目の方向に連結するダミーピースを破断線を介して連設し、折畳んで接合した後に前記ダミーピースを破断して除去することを特徴とする請求項１に記載の緩衝用クッション。
【請求項５】
半切り線または連結部を有する切断線を介して隣接する一対の板状部を接合することなく前記半切り線または切断線によって開閉可能に連結し、分割した後に開いて２倍の大きさとすることを特徴とする請求項１または請求項２に記載の緩衝用クッション。
【請求項６】
分割されたそれぞれのクッションが同一の被梱包物の互いに異なる部位をそれぞれ緩衝することを特徴とする請求項１に記載の緩衝用クッション。
【請求項７】
段ボールを折曲げて成り、梱包する物品を緩衝する緩衝用クッションを複数個一体に連結して成る緩衝用クッション集合体において、
段ボールの段目の方向と交差する方向に延びる切断線と一方のライナのみが連結されている半切り線とを互いにほぼ平行であって前記段目の方向に交互に形成し、
前記切断線を連結部によって部分的に連結し、
しかも前記段目の方向に破断可能なつなぎ部によって部分的に連結された破断線を形成し、
前記切断線と半切り線のところで交互に逆方向に折畳んで重合わせて接合するとともに、前記破断線のところで破断して複数個の緩衝用クッションに分割できるように一体に連結したことを特徴とする緩衝用クッション集合体。
【請求項８】
複数個の緩衝用クッションを梱包の際の組込みの順に連結したことを特徴とする請求項７に記載の緩衝用クッション集合体。
【発明の詳細な説明】
【０００１】
【発明の属する技術分野】
本発明は緩衝用クッションおよび緩衝用クッション集合体に係り、とくに段ボールを折畳んで重合わせて接合するようにした緩衝用クッションおよび緩衝用クッション集合体に関する。
【０００２】
【従来の技術】
各種の物品を梱包して物流に供するために、従来より緩衝用クッションが広く用いられている。従来の緩衝用クッションはポリスチレン樹脂を発泡成形によって所定の形状に成形したものである。このような緩衝用クッションを被梱包物と包装箱との間に介装すると、外部からの衝撃が上記緩衝用クッションによって吸収され、被梱包物が衝撃から保護される。
【０００３】
ところがポリスチレン樹脂の発泡成形体から成る緩衝用クッションは、廃棄物公害の原因になる。すなわち生分解性を有していないめたに自然環境の中で分解することがなく、焼却処理を行なうと黒煙を発生するとともに高温の熱によって炉を損傷する。また燃焼ガスが大気汚染の原因になる。
【０００４】
【発明が解決しようとする課題】
このようなポリスチレン樹脂の発泡成形体から成る緩衝用クッションに代えて、段ボールを原料とする緩衝用クッションが提案されている。段ボールは両面のライナの間にジクザグに折曲げられた中芯を配した構造をなしており、このためにシートそれ自体が緩衝性を有する。このような原料の緩衝性に着目し、この段ボールを折畳んで緩衝用クッションを製作する試みがなされている。
【０００５】
しかるに従来の段ボールから成る緩衝用クッションは、比較的単純な形状のものが多く、複雑な形状の緩衝用クッションに用いられることがなかった。また緩衝用クッションを個々にそれぞれ別々に製作していた。従って比較的小さな大きさの緩衝用クッションの場合には、製造効率が悪いという欠点があった。
【０００６】
本発明はこのような問題点に鑑みてなされたものであって、段ボールを折畳んで組立てられるとともに、複雑な形状をなし、あるいはまた複数個連結して製作できるようにした緩衝用クッションおよび緩衝用クッション集合体を提供することを目的とする。
【０００７】
【課題を解決するための手段】
本願の主要な発明は、段ボールを折曲げて成り、梱包する物品を緩衝する緩衝用クッションにおいて、
段ボールの段目の方向と交差する方向に延びる切断線と一方のライナのみが連結されている半切り線とを互いにほぼ平行であって前記段目の方向に交互に形成し、
前記切断線を連結部によって部分的に連結し、
しかも前記段目の方向に破断可能なつなぎ部によって部分的に連結された破断線を形成し、
前記切断線と半切り線のところで交互に逆方向に折畳んで重合わせて接合するとともに、前記破断線のところで破断して複数個に分割するようにしたことを特徴とする緩衝用クッションに関するものである。
【０００８】
ここで前記切断線と半切り線とによって囲まれる板状部または前記半切り線もしくは切断線をまたぐように隣接する板状部に開口を形成し、折畳んで接合したときに前記開口によって凹部または切込みが形成されるようにしてよい。また前記切断線と半切り線とによって囲まれる板状部にほぼ矩形の開口を形成し、しかも前記段目の方向の両端の板状部には前記矩形の開口の対角線とほぼ対応する斜めの切断線を形成し、前記矩形の開口と前記斜めの切断線とを破断線によって連結し、折畳んで接合した後に前記破断線によって分割したときにコーナパッドとすることが好適である。また前記切断線と半切り線とによって囲まれる板状部または前記半切り線もしくは前記切断線をまたぐように隣接する板状部に開口を形成し、しかも前記開口を段目の方向に連結するダミーピースを破断線を介して連設し、折畳んで接合した後に前記ダミーピースを破断して除去することが好ましい。また半切り線または連結部を有する切断線を介して隣接する一対の板状部を接合することなく前記半切り線または切断線によって開閉可能に連結し、分割した後に開いて２倍の大きさとすることができる。また分割されたそれぞれのクッションが同一の被梱包物の互いに異なる部位をそれぞれ緩衝するようにしてもよい。
【０００９】
緩衝用クッション集合体に関する主要な発明は、段ボールを折曲げて成り、梱包する物品を緩衝する緩衝用クッションを複数個一体に連結して成る緩衝用クッション集合体において、
段ボールの段目の方向と交差する方向に延びる切断線と一方のライナのみが連結されている半切り線とを互いにほぼ平行であって前記段目の方向に交互に形成し、
前記切断線を連結部によって部分的に連結し、
しかも前記段目の方向に破断可能なつなぎ部によって部分的に連結された破断線を形成し、
前記切断線と半切り線のところで交互に逆方向に折畳んで重合わせて接合するとともに、前記破断線のところで破断して複数個の緩衝用クッションに分割できるように一体に連結したことを特徴とする緩衝用クッション集合体に関するものである。
【００１０】
ここで複数個の緩衝用クッションを梱包の際の組込みの順に連結することが好ましい。
【００１１】
【発明の実施の形態】
（１）実施の形態１（図１〜図７）
本実施の形態の緩衝用クッションは、図１に示す段ボール（ブランク）１０によって組立てられる。この段ボール１０は横長の１０枚の板状部１１、１２、１３、１４、１５、１６、１７、１８、１９、２０をその段目の方向に連続して備えており、このような段ボール１０を折畳んで組立てられるようになっている。
【００１２】
段ボール１０はその段目の方向に半切り線３１と切断線３２とを交互に形成しており、これによって上記段ボール１０を板状部１１〜２０に区画している。ここで半切り線３１は表側のライナのみが連結されており、中芯と裏側のライナとが切断された線である。また切断線３２は図２Ａに示すように一対の切込み３３、３４によって形成される連結部３５を６個所備え、このような連結部３５によって切断線３２の両側の板状部を連結している。
【００１３】
段ボール１０の板状部１２〜１９には、図１に示すように、それぞれ３個ずつの矩形の開口３７が形成されている。これに対して両側の板状部１１、２０には３本の斜めの切断線３８が形成されている。これらの切断線３８は上記矩形の開口３７の対角線にほぼ対応する位置に形成されている。
【００１４】
また段ボール１０には、その段目の方向に２本の破断線４０が形成されている。これらの破断線４０にはそれぞれの板状部１１〜２０の領域において複数のつなぎ部４１を備えている。なお破断線４０のつなぎ部４１は図２Ｂに示すように、破断線４０に沿って２ｍｍの長さの切断されないつなぎ部を形成したものである。また上記矩形の開口３７の段目の方向の辺および上記斜めの切断線３８の終端を連結するように破断線４０が形成されている。これらの破断線４０もつなぎ部４１をそれぞれ備えている。
【００１５】
このような段ボール１０は図３に示すように、半切り線３１と切断線３２のところでそれぞれ互いに逆方向に折曲げられ、これによって折畳まれる。そして板状部１１〜２０の所定の位置には澱粉糊が予め塗布されているために、折畳んで重合わせることによって互いに接合され、図４に示すような状態になる。ここで切断線３２に形成されている連結部３５がその長さ方向の一側端に露出することになり、該一側端側は連結部３５によって強固に連結される。なお反対側の側端には、上記半切り線３１が露出するようになっており、これによって複数枚の板状部１１〜２０が連結された状態で重合わされる。
【００１６】
このように折畳まれて接合された段ボール１０は図５に示すように分割される。すなわち段ボール１０の段目の方向に形成された２本の破断線４０によってまず３分割される。しかも３分割されたそれぞれのほぼ正方形をなすピースはさらに上記矩形の開口３７の側縁と斜めの切断線３８の終端とを連結する破断線４０によって一対のほぼ直角３角形状をなすコーナパッド４２に分割される。すなわち図１に示すような段ボール１０によって６個のコーナパッド４２が一挙に製作される。
【００１７】
図６はこのような分割されたコーナパッド４２を示しており、ここでは板状体１２〜１９に形成された矩形の開口３７によって凹部４３が形成される。しかもこのような凹部４３は斜めの切断線３８を有する板状部１１、２０によってその両側の壁部が形成されるようになる。
【００１８】
図７はこのようなコーナパッド４２を用いてサッシドア４４のコーナの部分を保護した状態を示している。すなわちサッシドア４４の４つのコーナの部分にそれぞれコーナパッド４２を装着し、このコーナパッド４２の凹部４３がサッシドア４４の角の部分を受入れるようになっている。従って段ボール１０から成るコーナパッド４２によってサッシドア４４の最も破損し易い４個所の角の部分を確実に保護することが可能になる。
【００１９】
このようなコーナパッド４２は図１に示すような段ボール１０を折畳んで澱粉糊を塗布した部分を接合することによって組立てられる。従ってそのまま廃棄してもその生分解性によってバクテリアによる分解が行なわれる。また焼却処理を行なった場合においても、有害ガスや黒煙を発生することがなく、あるいはまた高温の熱によって炉を損傷することがない。
【００２０】
またこのようなコーナパッド４２は段ボール１０を用いて一挙に６個製作することができる。段ボール１０の横方向の寸法を大きくすれば１度に製作する個数をさらに増加させることが可能になる。すなわち図１に示すように１列につき２個のコーナパッド４２を製作することができるために、４列にすると１度に８個のコーナパッドが製作されるようになる。そして使用する際に図５に示すように破断線４０のところで破断することによって、使用状態に対応するコーナパッド４２とすることができる。従って使用する前の段階で１個あるいは２個のコーナパッド４２が紛失することが防止されるようになる。
【００２１】
（２）実施の形態２（図８〜図１６）
この実施の形態は図８に示すような段ボール１０を折畳んで組立てられる。段ボール１０は板状部１１〜２６を備えている。すなわち段ボール１０の段目の方向に半切り線３１と切断線線３２とを交互に形成することによって、板状部１１〜２６が画成される。切断線３２は上記実施の形態１と同様に、一対の切込み３３、３４から成る連結部３５（図９Ａ参照）を備えている。これに対して半切り線３１は上側のライナのみが連結された切込み線である。
【００２２】
ここで板状部１６、２１にはそれぞれ一対ずつの矩形の横長の開口３７が形成される。また半切り線３１をまたぐように板状部１７、１８を連続して矩形の開口３７が形成される。同様に板状部１９、２９間の半切り線３１をまたぐように矩形の開口３７が形成される。しかも板状部１６、２１の開口３７にはダミーピース４８が破断線４０を介して形成される。また半切り線３１をまたぐ板状部１７、１８および１９、２０の矩形の開口３７には一対のダミーピース４７、４８が形成される。これらのダミーピース４７、４８の先端側は半切り線４９によって互いに連結されるとともに、根元側の部分が破断線４０によって板状部１７、１８、１９、２０に連結されるようになっている。また板状部１３、１４、１５、２２、２３、２４にはそれぞれ幅の狭いスリット状開口４６が形成されるようになっている。
【００２３】
このような構造の段ボール１０は図１０に示すように、半切り線３１と切断線３２のところで交互に折曲げられる。そして予め塗布された澱粉糊によって接合されることによって、図１１に示すような細長い直方体状の形状になる。このような緩衝用クッションは、その一方の側面に開口３７によって凹部５１が形成される。また反対側の側面には上記半切り線３１の連結部３５が図１２に示すように露出するようになる。
【００２４】
ここで図１３に示すように、凹部５１内に位置するダミーピース４７、４８をそれらの根元部分の破断線４０のところで破断して除去する。そしてこの後に図１４に示すように破断線４０のところで緩衝用クッションを分割する。すなわち図１８に示すような段ボール１０を折畳むことによって、図１５に示すようなクッション５０を４個同時に作製することができ、使用時にこれを図１３および図１４に示すように分割することになる。
【００２５】
なおここでダミーピース４７、４８を破断線４０を介して予め開口３７の内部に形成しておくのは、この段ボール１０を半切り線３１と切断線３２のところで交互に折曲げて積重ね、接合のための圧力を厚さ方向に加える際に、開口３７の部分で板状体１６〜２６が変形するのを防止するためである。すなわち開口３７はその面積が比較的大きくしかも折畳んだときに図１１〜図１３に示す集合体の長さ方向に大きな寸法を有しているために、接着のための押圧力を加えると変形して直方体状の形状が崩れるからである。ダミーピース４７、４８を連結した状態で接合して押圧力を加えた場合には、開口３７のところで集合体が変形したり歪んだりすることがない。
【００２６】
このようなクッション５０は図１５および図１６に示すように、その側方から上部に開口した凹部５１が形成されるとともに、底部側には上記スリット状開口４６によってより幅の広い凹部が形成される。従ってこのような凹部５１および４６を利用して、例えばアルミニウムの引出し材から成る長尺レールの両端をこのクッション５０によって受入れて保護することが可能になる。
【００２７】
（３）実施の形態３（図１７〜図２５）
この実施の形態は図１７に示すような段ボール１０によって組立てられる。段ボール１０は板状部１１〜２０を備え、これらが互いに交互に形成された半切り線３１と切断線３２とによって区画されている。ここで切断線３２には図１８Ａに示すような連結部３５が形成される。これに対して半切り線３１は表側のライナを連結し、中芯と下側のライナとを切断した切断線である。またこの段ボール１０にはその段目の方向につなぎ部４１を有する破断線４０が形成される。すなわち図１８Ｂに示すように約２ｍｍのつなぎ部４１を有する破断線４０が形成されている。
【００２８】
またこのような段ボール１０の板状部１１、１２および１３、１４には、これらの板状部１１、１２および１３、１４をまたぐように楕円形の開口５３が形成される。また板状部１７、１８および１９、２０をまたぐように矩形の開口３７が形成される。また板状部１５、１６をまたぐように長円形の開口５４が形成される。さらに板状部１５および１６にはそれぞれ小さな矩形の開口５５が形成される。
【００２９】
このような段ボール１０は図１９に示すように半切り線３１と切断線３２のところで交互に逆方向に折曲げられ、これによって折畳まれる。そして予め塗布された澱粉糊によって接合されるようになり、これによって図２０に示す緩衝用クッションに組立てられる。なおこのときに板状体１５、１６の表面には互いに糊を接着しない。これは後からこの部分で開くからである。このような緩衝用クッションは図２１に示すように、段ボール１０の段目の方向であってその中央部に形成された破断線４０によって２分割される。従って図２２および図２３に示すように、１枚の段ボール１０から一対のクッション５６が得られる。
【００３０】
このクッション５６は図１７に示す板状部１５、１６間の半切り線３１のところで開閉自在になっていることが特徴である。すなわち半切り線３１のところでその両側の板状部１５、１６が互いに連続する平面をなすように開くと、図２２に示す状態から図２３に示す状態に変化してクッション５６になり、そのほぼ中央部に凹部５７が形成される。この凹部５７は上記矩形の開口３７と楕円形の開口５３とを組合わせて形成される。
【００３１】
このようなクッション５６は、図２４および図２５に示すように電子機器、例えばプリンタ５８の幅方向の両側をそれぞれ受入れるクッションとして用いられる。すなわちプリンタ５８の左右の両端をそれぞれ凹部５７によって受入れることにより、プリンタ５８を衝撃から保護するクッションとして使用することが可能になる。
【００３２】
しかもここでプリンタ５８の左右の部分を受入れるクッション５６が図２０および図２１に示すように予め連結した状態で組立てられる。従ってプリンタ５８を梱包する際に図２１に示すように破断線４０のところで分割し、この後図２２に示すように半切り線３１のところで展開して開けばよく、これによってクッション５６の管理が非常に容易になる。すなわちプリンタ５８の片側のクッション５６が紛失する事故が防止され、クッション５６の管理が容易になる。
【００３３】
（４）実施の形態４（図２６〜図３２）
この実施の形態は図２６に示すような矩形の段ボール１０によって組立てられる緩衝用クッションである。段ボール１０は１６枚の板状体１１〜２６を備え、これらの板状体１１〜２６が段目の方向に交互に形成された半切り線３１と切断線３２とによって区画される。ここで半切り線３１は一方の側のライナを残して切断した半切り線である。また切断線３２はその長さ方向の４箇所にそれぞれ図２７Ａに示すような切込み３３、３４を備える連結部３５を備えている。またここでは段目の方向に３本の破断線４０が形成されている。これらの破断線４０には図２７Ｂに示すようにつなぎ部４１を図２６に示す位置に形成している。
【００３４】
このような段ボール１０は図２８に示すように半切り線３１と切断線３２のところで交互に互いに逆方向に折曲げられる。そして予め所定の位置に澱粉糊を塗布した状態で積重ねることによって、図２９および図３０に示すように細長い直方体状の形状に折畳まれる。このような集合体は図２９に示すように、その背面側においてその４箇所にそれぞれ連結部３５が厚さ方向に整列して形成される。また反対側の側面に臨むように図３０に示す凹部５１が形成される。
【００３５】
従ってこのようなクッション５０の集合体を段ボール１０の段目の方向に形成された４本の破断線４０によって図３１のように破断すると、図２９および図３０に示す集合体から４個のクッション５０に分割される。すなわち直方体状をなすとともに、端面から一方の側面にかけて凹部５１が形成されたクッションが得られる。
【００３６】
このようなクッションは図３３および図３４に示すように、直方体状をなす物品６０の梱包の際に、この物品６０の８つのコーナの部分にそれぞれ凹部５１が整合するように装着される。そしてこのような状態で物品６０が図３４に示す段ボールケース６１内に収納されると、この段ボールケース６１と物品６０との間に上記クッション５０が介在されることになる。従って外部からの衝撃をこのクッション５０によって吸収することにより、内部に収納された物品６０の緩衝が行なわれるようになり、物流に供される物品６０の保護が図られることになる。
【００３７】
このようなクッション５０は、図２９および図３０に示すように、４つのクッション５０が連結された状態で製作されるために、梱包する際に図３１に示すように４つに分割すればよい。すなわち図３３および図３４に示すような形態で梱包を行なう場合には、図２９および図３０に示すクッション５０の集合体を２本用意しておき、梱包する際に分割して組込めばよく、このためにクッション５０の管理が容易になる。
【００３８】
【発明の効果】
本願の主要な発明は、段ボールを折曲げて成り、梱包する物品を緩衝する緩衝用クッションにおいて、段ボールの段目の方向と交差する方向に延びる切断線と一方のライナのみが連結されている半切り線とを互いにほぼ平行であって段目の方向に交互に形成し、切断線を連結部によって部分的に連結し、しかも段目の方向に破断可能なつなぎ部によって部分的に連結された破断線を形成し、切断線と半切り線のところで交互に逆方向に折畳んで重合わせて接合するとともに、破断線のところで破断して複数個に分割するようにしたものである。
【００３９】
従ってこのような緩衝用クッションによれば、段ボールを折畳んで重合わせて接合することによって緩衝用クッションが得られる。従って生分解性を有するとともに、廃棄処理の際に問題を生ずることがなく、廃棄物公害の発生を防止することが可能になる。しかも破断線のところで破断して複数個に分割するようになっているために、小さな緩衝用クッションを複数個連結した状態で同時に作製し、使用時に分割して利用することができ、これによって個々の緩衝用クッションの管理が容易になるとともに、バラバラの緩衝用クッションが紛失することが防止される。
【００４０】
緩衝用クッション集合体に関する主要な発明は、段ボールを折曲げて成り、梱包する物品を緩衝する緩衝用クッションを複数個一体に連結して成る緩衝用クッション集合体において、段ボールの段目の方向と交差する方向に延びる切断線と一方のライナのみが連結されている半切り線とを互いにほぼ平行であって段目の方向に交互に形成し、切断線を連結部によって部分的に連結し、しかも段目の方向に破断可能なつなぎ部によって部分的に連結された破断線を形成し、切断線と半切り線のところで交互に逆方向に折畳んで重合わせて接合するとともに、破断線のところで破断して複数個の緩衝用クッションに分割できるように一体に連結したものである。
【００４１】
従ってこのような緩衝用クッション集合体によれば、複数個の緩衝用クッションを一体に連結した状態で供給することが可能になり、梱包時に分割して組込むことが可能になる。従って緩衝用クッションの管理が容易になる。とくに複数個の緩衝用クッションを梱包の際の組込みの順に連結すると、梱包作業の誤動作を防止できるようになる。
【図面の簡単な説明】
【図１】実施の形態１の緩衝用クッションを組立てる段ボールの展開平面図である。
【図２】同段ボールの連結部およびつなぎ部の構造を示す拡大平面図である。
【図３】段ボールを折畳む状態を示す斜視図である。
【図４】折畳んで接合された緩衝用クッションの外観斜視図である。
【図５】分割の動作を示す要部平面図である。
【図６】分割されたコーナパッドの外観斜視図である。
【図７】コーナパッドによるサッシドアの保護を示す斜視図である。
【図８】実施の形態２の緩衝用クッションを組立てる段ボールの展開平面図である。
【図９】同段ボールの連結部およびつなぎ部の構成を示す拡大平面図である。
【図１０】同段ボールを折畳む状態を示す外観斜視図である。
【図１１】折畳んで形成されたクッションの外観斜視図である。
【図１２】逆方向から見た同クッションの外観斜視図である。
【図１３】ダミーピースの取外し動作を示す外観斜視図である。
【図１４】緩衝用クッションの分割動作を示す要部正面図である。
【図１５】分割されたクッションの外観斜視図である。
【図１６】同クッションの縦断面図である。
【図１７】実施の形態３の段ボールの展開平面図である。
【図１８】連結部および破断部の構造を示す拡大平面図である。
【図１９】段ボールの折畳みの動作を示す要部斜視図である。
【図２０】段ボールによって製作されたクッションの外観斜視図である。
【図２１】クッションの分割動作を示す要部平面図である。
【図２２】同クッションの展開の動作を示す外観斜視図である。
【図２３】展開されたクッションの外観斜視図である。
【図２４】左右一対のクッションによるプリンタの梱包動作を示す要部斜視図である。
【図２５】同要部正面図である。
【図２６】実施の形態４の段ボールの展開平面図である。
【図２７】連結部および破断部の構造を示す拡大平面図である。
【図２８】段ボールの折畳み動作を示す要部斜視図である。
【図２９】段ボールによって製作されたクッションの集合体の外観斜視図である。
【図３０】同クッションの凹部側の外観斜視図である。
【図３１】クッションの分割動作を示す要部正面図である。
【図３２】分割されたクッションの外観斜視図である。
【図３３】８つのクッションを用いて物品を梱包する動作を示す要部斜視図である。
【図３４】同段ボールケースに収納した状態の縦断面図である。
【符号の説明】
１０　段ボール（ブランク）
１１〜２６　板状部
３１　半切り線
３２　切断線
３３、３４　切込み
３５　連結部
３７　矩形の開口
３８　斜めの切断線
４０　破断線
４１　つなぎ部
４２　コーナパッド
４３　凹部
４４　サッシドア
４６　スリット状開口
４７、４８　ダミーピース
４９　半切り線
５０　クッション
５１　凹部
５３　楕円形の開口
５４　長円形の開口
５５　小さな矩形の開口
５６　クッション
５７　凹部
５８　プリンタ
６０　物品
６１　段ボールケース
【図１】
2004059118.tif 000003
【図２】
2004059118.tif 000004
【図３】
2004059118.tif 000005
【図４】
2004059118.tif 000006
【図５】
2004059118.tif 000007
【図６】
2004059118.tif 000008
【図７】
2004059118.tif 000009
【図８】
2004059118.tif 000010
【図９】
2004059118.tif 000011
【図１０】
2004059118.tif 000012
【図１１】
2004059118.tif 000013
【図１２】
2004059118.tif 000014
【図１３】
2004059118.tif 000015
【図１４】
2004059118.tif 000016
【図１５】
2004059118.tif 000017
【図１６】
2004059118.tif 000018
【図１７】
2004059118.tif 000019
【図１８】
2004059118.tif 000020
【図１９】
2004059118.tif 000021
【図２０】
2004059118.tif 000022
【図２１】
2004059118.tif 000023
【図２２】
2004059118.tif 000024
【図２３】
2004059118.tif 000025
【図２４】
2004059118.tif 000026
【図２５】
2004059118.tif 000027
【図２６】
2004059118.tif 000028
【図２７】
2004059118.tif 000029
【図２８】
2004059118.tif 000030
【図２９】
2004059118.tif 000031
【図３０】
2004059118.tif 000032
【図３１】
2004059118.tif 000033
【図３２】
2004059118.tif 000034
【図３３】
2004059118.tif 000035
【図３４】
2004059118.tif 000036